(57)【特許請求の範囲】
【請求項１】
測定対象についての被測定量を測定する測定システムであって、
前記被測定量を測定する測定処理を実行する測定装置と、当該測定装置とは別体に構成された撮像装置と、当該撮像装置によって撮像された画像を記憶する記憶装置とを備え、
前記測定装置は、前記測定処理の開始以後であってかつ予め規定された規定条件が満たされたときに前記画像の記憶を指示する指示信号を出力すると共に、前記記憶装置から出力される終了信号を入力したときに、前記画像の記憶を終了したことを報知し、
前記撮像装置は、少なくとも前記指示信号の入力時における測定作業の様子を撮像し、
前記記憶装置は、前記指示信号を入力したときに前記撮像装置によって撮像された前記測定作業の様子を示す前記画像を記憶すると共に、当該画像の記憶を終了したときに、当該記憶を終了したことを示す終了信号を出力する測定システム。
【請求項２】
測定対象についての被測定量を測定する測定システムであって、
前記被測定量を測定する測定処理を実行する測定装置と、当該測定装置とは別体に構成された撮像装置と、当該撮像装置によって撮像された画像を記憶する記憶装置とを備え、
前記測定装置は、前記測定処理において前記被測定量を予め決められた時間が経過する毎に測定して当該被測定量の測定値を表示部に更新しつつ表示する更新表示処理を実行可能に構成されると共に、前記測定処理の開始以後であってかつ予め規定された規定条件が満たされたときに前記画像の記憶を指示する指示信号を出力し、かつ当該指示信号を出力するときに前記更新表示処理を停止して非更新状態で前記測定値を前記表示部に表示させ、
前記撮像装置は、少なくとも前記指示信号の入力時における測定作業の様子を撮像し、
前記記憶装置は、前記指示信号を入力したときに前記撮像装置によって撮像された前記測定作業の様子を示す前記画像を記憶する測定システム。
【請求項３】
前記測定装置は、前記非更新状態において予め決められた条件が満たされたときに前記更新表示処理を再開する請求項２記載の測定システム。
【発明の詳細な説明】
【技術分野】
【０００１】
本発明は、測定対象についての被測定量を測定する測定システムに関するものである。
【背景技術】
【０００２】
測定対象についての被測定量を測定する測定装置として、下記特許文献１において出願人が開示した測定装置が知られている。この測定装置は、電源部、測定部、制御部、操作部、記憶部および表示部を有する本体部と、本体部に接続可能に構成されたプローブとを備えて、測定対象体の絶縁抵抗を測定可能に構成されている。
【０００３】
一方、例えば、分電盤等の電源設備の管理者が、この測定装置を用いて分電盤の絶縁抵抗を定期的に測定して測定結果を記録として残す際に、測定作業の様子を撮像した画像（写真）を添付することが義務付けられていることがある。このような使用形態では、一般的に、１人の作業者が測定装置を用いて測定作業を行い、他の作業者が撮像装置（カメラ等）を用いて測定作業の様子を撮像する撮像作業を行う。そして、撮像した画像（写真）や画像データを測定結果と共に記録する。
【先行技術文献】
【特許文献】
【０００４】
【特許文献１】特開２００８−１４６４８号公報（第４頁、第２図）
【発明の概要】
【発明が解決しようとする課題】
【０００５】
ところが、上記した測定装置を含む従来の測定装置には、改善すべき以下の課題がある。すなわち、従来の測定装置を用いて上記した測定作業を行う際には、上記したように、作業者が２人１組で作業を行う必要がある。また、測定作業の様子を示す適切な画像を撮像するには、測定担当の作業者が測定の準備が整った時点で、撮像担当の作業者に合図を送り、これに応じて撮像担当の作業者が撮像作業を行う必要があり煩雑である。このため、従来の測定装置には、このような使用形態における作業効率の向上が困難であるという課題が存在する。この場合、タイマ機能を備えた撮像装置を用いることで、測定作業および撮像作業の双方を１人の作業者が行うことも可能である。しかしながら、この方法においても、撮像のタイミングがタイマ機能のタイマ時間に依存して、作業者が意図する任意のタイミングでの撮像が困難であるため、測定作業の様子を示す適切な画像を撮像するのが困難なことがある。
【０００６】
本発明は、かかる課題に鑑みてなされたものであり、測定作業の様子を撮像する使用形態における作業効率を向上し得る測定システムを提供することを主目的とする。
【課題を解決するための手段】
【０００７】
上記目的を達成すべく請求項１記載の測定システムは、測定対象についての被測定量を測定する測定システムであって、前記被測定量を測定する測定処理を実行する測定装置と、当該測定装置とは別体に構成された撮像装置と、当該撮像装置によって撮像された画像を記憶する記憶装置とを備え、前記測定装置は、前記測定処理の開始以後であってかつ予め規定された規定条件が満たされたときに前記画像の記憶を指示する指示信号を出力すると共に、前記記憶装置から出力される終了信号を入力したときに、前記画像の記憶を終了したことを報知し、前記撮像装置は、少なくとも前記指示信号の入力時における測定作業の様子を撮像し、前記記憶装置は、前記指示信号を入力したときに前記撮像装置によって撮像された前記測定作業の様子を示す前記画像を記憶すると共に、当該画像の記憶を終了したときに、当該記憶を終了したことを示す終了信号を出力する。
【０００８】
また、請求項２記載の測定システムは、測定対象についての被測定量を測定する測定システムであって、前記被測定量を測定する測定処理を実行する測定装置と、当該測定装置とは別体に構成された撮像装置と、当該撮像装置によって撮像された画像を記憶する記憶装置とを備え、前記測定装置は、前記測定処理において前記被測定量を予め決められた時間が経過する毎に測定して当該被測定量の測定値を表示部に更新しつつ表示する更新表示処理を実行可能に構成されると共に、前記測定処理の開始以後であってかつ予め規定された規定条件が満たされたときに前記画像の記憶を指示する指示信号を出力し、かつ当該指示信号を出力するときに前記更新表示処理を停止して非更新状態で前記測定値を前記表示部に表示させ、前記撮像装置は、少なくとも前記指示信号の入力時における測定作業の様子を撮像し、前記記憶装置は、前記指示信号を入力したときに前記撮像装置によって撮像された前記測定作業の様子を示す前記画像を記憶する。
【００１６】
また、請求項３記載の測定システムは、請求項２記載の測定システムにおいて、前記測定装置は、前記非更新状態において予め決められた条件が満たされたときに前記更新表示処理を再開する。
【発明の効果】
【００１７】
請求項１，２記載の測定システムでは、測定装置が測定処理の開始以後であってかつ予め規定された規定条件が満たされたとき指示信号を出力し、撮像装置が少なくとも指示信号の入力時における画像を撮像し、記憶装置は、指示信号を入力したときに撮像装置によって撮像された画像を記憶する。このため、この測定システムによれば、測定装置による測定処理に連動させて撮像装置による画像の撮像および記憶装置による画像の記憶を自動的に行わせることができる。したがって、この測定システムによれば、測定対象の被測定量を測定する測定作業と、測定作業の様子を撮像する撮像作業とを１人の作業者で容易に行うことができる結果、このような使用形態（測定作業の様子を撮像する使用形態）における作業効率を十分に向上させることができる。
【００２４】
また、請求項１記載の測定システムによれば、記憶装置が画像の記憶を終了したときに終了信号を出力し、測定装置が終了信号を入力したときに記憶を終了したことを報知することにより、記憶を終了したこと、つまり、測定作業の様子が撮像されたことを、作業者に確実かつ容易に認識させることができるため、実行している測定作業を終了して、次の測定対象についての測定作業を迅速に開始することができる。したがって、この測定システムによれば、測定対象が数多く存在するときの作業効率を一層向上させることができる。
【００２５】
また、請求項２記載の測定システムでは、測定装置が、指示信号を出力するときに更新表示処理を停止して非更新状態で測定値を表示部に表示させる。したがって、この測定システムによれば、測定値の更新が停止している状態（停止前の測定値が固定的に表示されている状態）で画像（静止画）を撮像することができるため、表示部に表示された測定値が明瞭に写し出された画像（静止画）を撮像することができる。
【００２６】
また、請求項３記載の測定システムによれば、測定装置が非更新状態において予め決められた条件が満たされたときに更新表示処理を再開することにより、画像の記憶が終了した後に、被測定量の測定値が大きく変動したときには、変動後の測定値を確実に把握することができる。
【図面の簡単な説明】
【００２７】
【図１】測定システム１の構成を示す構成図である。
【図２】測定装置２および撮像記憶装置３の正面図である。
【図３】撮像記憶装置３を安全メガネ５０に装着した状態の正面図である。
【図４】測定システム１の使用方法を説明する説明図である。
【図５】静止画Ｇｓの一例を説明する説明図である。
【図６】測定システム１の動作を説明する説明図である。
【図７】静止画Ｇｓの他の一例を説明する説明図である。
【発明を実施するための形態】
【００２８】
以下、測定システムの実施の形態について、添付図面を参照して説明する。
【００２９】
最初に、測定システム１の構成について説明する。図１に示す測定システム１は、測定システムの一例であって、測定対象についての被測定量の一例としての抵抗値（絶縁抵抗値）を測定可能に構成されている。また、測定システム１は、測定作業の様子を撮像可能に構成されている。具体的には、測定システム１は、同図に示すように、測定装置２および撮像記憶装置３を備えて構成されている。
【００３０】
測定装置２は、図１，２に示すように、電源部１１、操作部１２、表示部１３、入出力部１４および処理部１５を備えて構成されている。また、測定装置２は、一例として、棒状のプローブ１６と、クリップ型のプローブ１７とを備えている。
【００３１】
電源部１１は、測定用信号（例えば、直流電圧）を生成する。操作部１２は、図２に示すように、電源スイッチ２１、レンジ切り替えスイッチ２２および測定スイッチ２３等の各種のスイッチを備えて構成されて、これらのスイッチが操作されたときに操作信号を出力する。
【００３２】
表示部１３は、処理部１５の制御に従い、図２に示すように、処理部１５によって測定される抵抗値の測定値（測定値を示す文字情報Ｉｃ１）や、測定条件等を示す文字情報Ｉｃ２を表示する。また、表示部１３は、撮像記憶装置３における後述する記憶部３２によって実行される後述する記憶処理が終了したことを示す終了信号Ｓｅを入力したときに、記憶処理が終了したことを報知する文字情報Ｉｃ３（図６参照）を表示する。
【００３３】
入出力部１４は、撮像記憶装置３における後述する入出力部３３との間で、無線による各種信号やデータの入出力（送受信）を実行可能に構成されている。この場合、入出力部１４は、処理部１５の制御に従い、後述する指示信号Ｓｒ、抵抗値の測定値を示す測定値データＤｒ、および測定条件を示す測定条件データＤｃを出力（送信）する。また、入出力部１４は、撮像記憶装置３の入出力部３３から出力される終了信号Ｓｅを入力（受信）する。
【００３４】
処理部１５は、操作部１２から出力される操作信号に従って測定装置２を構成する各部を制御する。また、処理部１５は、プローブ１６，１７を介して入出力する電気信号（測定用信号、および測定用信号の出力によって測定対象に流れる電流）に基づいて測定対象の抵抗値を測定する測定処理を実行する。また、処理部１５は、測定した抵抗値の測定値を表示部１３に表示させる。この場合、処理部１５は、測定処理において、抵抗値を予め決められた時間（例えば、０．２秒）が経過する毎に繰り返して測定し、測定の度に新たな測定値を表示部１３に更新しつつ表示させる更新表示処理を実行する。
【００３５】
また、処理部１５は、測定処理において抵抗値を最初に測定したときから予め決められた時間（例えば、１秒）が経過したとき（測定処理の開始以後であってかつ予め規定された規定条件が満たされたときの一例）に、撮像記憶装置３によって撮像される画像の記憶を指示する指示信号Ｓｒを生成して入出力部１４を介して撮像記憶装置３に出力させる。また、処理部１５は、指示信号Ｓｒを出力させたときに、測定処理における更新表示処理を停止して、停止直前の測定値を固定的に（非更新状態で）表示部１３に表示させるホールド機能を有している。また、処理部１５は、指示信号Ｓｒを出力させた後に、撮像記憶装置３から出力される記憶処理の終了を示す終了信号Ｓｅを入力したときには、記憶処理を終了したことを報知する文字情報Ｉｃ３（図６参照）を表示部１３に表示させる。また、処理部１５は、終了信号Ｓｅを入力したとき（非更新状態において予め決められた条件か満たされたとき）には、上記した更新表示処理を再開する。
【００３６】
撮像記憶装置３は、撮像装置および記憶装置を一体化して、測定装置２とは別体に構成した装置であって（図２参照）、図１に示すように、撮像部３１、記憶部３２、入出力部３３および制御部３４を備えて構成されている。また、撮像記憶装置３は、一例として、図３に示すように、安全メガネ５０のフレームに取り付け可能に構成され、装着状態において撮像部３１の開口部（レンズ部）が被装着者（作業者）の正面を向くように構成されている。
【００３７】
撮像部３１は、撮像装置に相当し、制御部３４の制御に従い、画像を撮像して、その画像についての画像データＤｇを出力する撮像処理を実行する。この場合、撮像部３１は、一例として、指示信号Ｓｒの入力時における静止画Ｇｓ（図５参照）を撮像可能なデジタルスチルカメラで構成されている。
【００３８】
記憶部３２は、記憶装置に相当し、一例として、記憶媒体としてのＳＤカードおよびＳＤカードドライブで構成されて、制御部３４の制御に従い、撮像部３１から出力された画像データＤｇ（撮像部３１によって撮像された画像）を記憶する記憶処理を実行する。また、記憶部３２は、記憶処理において、測定装置２から出力された測定値データＤｒおよび測定条件データＤｃを記憶する。この場合、記憶部３２は、画像データＤｇ、測定値データＤｒおよび測定条件データＤｃに対して共通する識別情報を付すことにより、各データＤｇ，Ｄｒ，Ｄｃを互いに関連付けて記憶する。また、記憶部３２は、画像データＤｇ、測定値データＤｒおよび測定条件データＤｃを暗号化して記憶する。
【００３９】
入出力部３３は、測定装置２の入出力部１４との間で、無線による各種信号やデータの入出力（送受信）を実行可能に構成されている。この場合、入出力部３３は、測定装置２の入出力部１４から出力される指示信号Ｓｒ、測定値データＤｒおよび測定条件データＤｃを入力（受信）する。また、入出力部３３は、制御部３４の制御に従って終了信号Ｓｅを出力（送信）する。また、入出力部３３は、記憶部３２に記憶されている画像データＤｇを外部装置（例えば、パソコンや携帯端末）に対して出力（送信）することが可能に構成されている。
【００４０】
制御部３４は、入出力部３３を介して指示信号Ｓｒを入力したときに、撮像部３１に対して撮像処理を実行させると共に、記憶部３２に対して記憶処理を実行させる。また、制御部３４は、記憶部３２による記憶処理が終了したときに、記憶処理が終了したことを示す終了信号Ｓｅを入出力部３３を介して出力させる。
【００４１】
次に、測定システム１の使用方法について、図面を参照して説明する。一例として、測定対象としての分電盤６０（図４参照）が複数設置されている現場において、分電盤６０における予め決められた測定対象部位間の抵抗値（絶縁抵抗値）を測定すると共に、その測定作業の様子を撮像する際の使用方法について説明する。
【００４２】
この測定システム１では、このような使用形態において、測定作業と撮像作業とを１人の作業者で容易に行うことが可能となっている。具体的には、まず、図３に示すように、安全メガネ５０のフレームに撮像記憶装置３を取り付けて、その安全メガネ５０を装着する。次いで、測定対象の最初の分電盤６０の設置場所に移動する。続いて、測定装置２における操作部１２の電源スイッチ２１（図２参照）を操作して、測定装置２の電源を投入すると共に、撮像記憶装置３における図外の電源スイッチを操作して撮像記憶装置３の電源を投入する。次いで、操作部１２のレンジ切り替えスイッチ２２を操作して所望の測定レンジを選択する。
【００４３】
続いて、図４に示すように、分電盤６０における２つの測定対象部位に測定装置２のプローブ１６，１７をそれぞれ接触させる。具体的には、一方の測定対象部位にクリップ型のプローブ１７をクリップして固定し、他方の測定対象部位に棒状のプローブ１６の先端部を接触させる。次いで、操作部１２の測定スイッチ２３（図２参照）を操作（押圧）する。これに応じて、電源部１１が測定用信号としての直流電圧を生成し、その直流電圧がプローブ１６，１７を介して測定対象部位に出力される。
【００４４】
続いて、処理部１５は、測定処理を実行する。この測定処理では、処理部１５は、直流電圧の電圧値、および直流電圧の出力によってプローブ１６，１７を介して入力する（測定対象に流れる）電流の電流値に基づいて測定対象部位間の抵抗値を測定する。また、処理部１５は、図２に示すように、測定した抵抗値の測定値、および測定条件等を示す文字情報Ｉｃ２を表示部１３に表示させる。この場合、処理部１５は、測定処理において、抵抗値を予め決められた時間（例えば、０．２秒）が経過する毎に繰り返して測定し、測定の度に新たな測定値を表示部１３に更新しつつ表示させる更新表示処理を実行する。
【００４５】
次いで、処理部１５は、抵抗値を最初に測定したときから予め決められた時間（例えば、１秒）が経過したとき（測定処理の開始以後であってかつ予め規定された規定条件が満たされたとき）に指示信号Ｓｒを生成して入出力部１４を介して撮像記憶装置３に出力させる。この際に、処理部１５は、更新表示処理を停止して、更新表示処理の停止直前の測定値を固定的に表示部１３に表示させる。また、処理部１５は、更新表示処理の停止直前の測定値を示す測定値データＤｒを生成すると共に、選択されている測定レンジ等の測定条件を示す測定条件データＤｃを生成して、測定値データＤｒおよび測定条件データＤｃを入出力部１４を介して撮像記憶装置３に出力させる。
【００４６】
一方、撮像記憶装置３では、入出力部３３が、測定装置２の入出力部１４から出力される指示信号Ｓｒ、測定値データＤｒおよび測定条件データＤｃを入力（受信）する。続いて、制御部３４が、指示信号Ｓｒに従い、撮像部３１に対して撮像処理の実行を指示すると共に、記憶部３２に対して記憶処理の実行を指示する。これに応じて撮像部３１が撮像処理を実行して例えば、図５に示す静止画Ｇｓを撮像して画像データＤｇを出力する。
【００４７】
また、記憶部３２は、撮像部３１から出力された画像データＤｇを記憶すると共に、測定装置２から出力された測定値データＤｒおよび測定条件データＤｃを記憶する。この場合、記憶部３２は、画像データＤｇ、測定値データＤｒおよび測定条件データＤｃに対して共通する識別情報を付すことにより、各データＤｇ，Ｄｒ，Ｄｃを互いに関連付けると共に、各データＤｇ，Ｄｒ，Ｄｃを暗号化して記憶する。
【００４８】
この場合、図４に示すように、作業者が装着している安全メガネ５０に撮像部３１が取り付けられているため、作業者が測定装置２の表示部１３に表示された測定値を視認している状態では、測定装置２、および測定装置２の後方に位置する分電盤６０（例えば、その一部）が撮像部３１の撮像範囲に収まることとなる。このため、この測定システム１では、測定値が表示部１３に表示されたときに出力される指示信号Ｓｒに従って撮像処理が行われることで、測定作業の様子が確実に撮像される。また、この測定システム１では、作業者が撮像を指示するスイッチを押すような煩雑な操作（手動操作）を行うことなく、測定装置２による測定処理に連動して撮像記憶装置３によって撮像処理および記憶処理が自動的に行われる。このように、この測定システム１では、被測定量を測定する測定作業と、測定作業の様子を撮像する撮像作業とを１人の作業者で容易に行うことが可能となっている。
【００４９】
次いで、制御部３４は、記憶部３２による記憶処理が終了したときに、記憶処理が終了したことを示す終了信号Ｓｅを入出力部３３を介して出力させる。続いて、測定装置２の入出力部１４が終了信号Ｓｅを入力し、これに応じて、処理部１５は、図６に示すように、記憶処理を終了したことを報知する文字情報Ｉｃ３を表示部１３に表示させる。次いで処理部１５は、測定処理における更新表示処理を再開する。続いて、測定スイッチ２３に対する押圧を解除して、最初の分電盤６０についての測定作業および撮像作業を終了する。
【００５０】
この測定システム１では、文字情報Ｉｃ１が表示されることで、記憶処理が終了したこと、つまり、測定作業の様子が撮像されたことを、作業者が確実かつ容易に認識することができるため、実行している測定作業を終了して、次の測定対象についての測定作業を迅速に開始することが可能となっている。
【００５１】
次いで、２番目の測定対象の分電盤６０の設置位置に移動し、上記した手順と同様の手順で測定作業および撮像作業を行う。以下、他の測定対象の分電盤６０についての測定作業および撮像作業を行い、全ての測定対象の分電盤６０についての測定作業および撮像作業が終了したときに、測定装置２および撮像記憶装置３の電源を切断する。なお、この測定システム１では、測定装置２によって測定された測定値を示す測定値データＤｒが画像データＤｇと共に記憶される。このため、この測定システム１では、作業者が表示部１３に表示された測定値を記録する（書き留める）作業を省略することができる結果、作業効率をさらに向上させることが可能となっている。
【００５２】
一方、撮像記憶装置３の記憶部３２に記憶させた画像データＤｇの画像は、外部装置としてのパソコンや携帯端末を用いて閲覧することができる。この場合、撮像記憶装置３の入出力部３３を介して外部装置に対して画像データＤｇを出力（送信）させて、画像データＤｇの画像を閲覧することができる。なお、記憶部３２が画像データＤｇを記憶するのと並行して、入出力部３３が外部装置に対して画像データＤｇを出力するようにしてもよい。また、画像データＤｇが記憶されている記憶部３２の記憶媒体（ＳＤカード）を記憶部３２から取り出し、パソコンや携帯端末にセットして画像データＤｇを読み出して、画像データＤｇの画像を閲覧することもできる。
【００５３】
このように、この測定システム１では、測定装置２が測定処理の開始以後であってかつ予め規定された規定条件が満たされたとき（抵抗値を最初に測定したときから予め決められた時間が経過したとき）に指示信号Ｓｒを出力し、撮像記憶装置３の撮像部３１が少なくとも指示信号Ｓｒの入力時における画像（静止画Ｇｓ）を撮像し、撮像記憶装置３の記憶部３２が指示信号Ｓｒを入力したときに静止画Ｇｓ（静止画Ｇｓについての画像データＤｇ）を記憶する。このため、この測定システム１によれば、測定装置２による測定処理に連動させて撮像記憶装置３による静止画Ｇｓの撮像および記憶を自動的に行わせることができる。したがって、この測定システム１によれば、測定対象の被測定量を測定する測定作業と、測定作業の様子を撮像する撮像作業とを１人の作業者で容易に行うことができる結果、このような使用形態（測定作業の様子を撮像する使用形態）における作業効率を十分に向上させることができる。
【００５４】
また、この測定システム１では、撮像部３１が指示信号Ｓｒを入力したときに指示信号Ｓｒの入力時における静止画Ｇｓを撮像し、記憶部３２が静止画Ｇｓ（静止画Ｇｓについての画像データＤｇ）を記憶する。したがって、この測定システム１によれば、例えば、撮像部３１が動画を撮像し、記憶部３２がその動画を記憶する構成と比較して、撮像部３１の構成を簡略化することができると共に、動画と比較して静止画Ｇｓのデータサイズが小さいため、記憶容量が少ない記憶部３２を用いて数多くの静止画Ｇｓを記憶させることができる。また、この測定システム１によれば、静止画Ｇｓのデータサイズが小さいため、記憶部３２に静止画Ｇｓを記憶させる際の処理時間を短縮することができる。
【００５５】
また、この測定システム１では、測定装置２が被測定量を測定したときに指示信号Ｓｒを出力すると共に測定値データＤｒを出力し、撮像記憶装置３が測定値データＤｒを画像データＤｇと共に記憶する。このため、この測定システム１によれば、作業者が表示部１３に表示された測定値を書き留めて記録する作業を省略することができる結果、作業効率をさらに向上させることができる。
【００５６】
また、この測定システム１によれば、測定装置２が測定処理における測定条件を示す測定条件データＤｃを出力し、撮像記憶装置３が、測定条件データＤｃを画像データＤｇと共に記憶することにより、例えば、測定条件を画像と共に記録する必要があるときに、作業者が測定条件を書き留めて記録する作業を省略することができる結果、作業効率をさらに向上させることができる。
【００５７】
また、この測定システム１によれば、記憶部３２が画像データＤｇ、測定値データＤｒおよび測定条件データＤｃを暗号化した状態で記憶することにより、これらのデータの漏洩を確実に防止することができる。
【００５８】
また、この測定システム１によれば、撮像記憶装置３が、静止画Ｇｓについての画像データＤｇの記憶を終了したときに、記憶を終了したことを示す終了信号Ｓｅを出力し、測定装置２が、終了信号Ｓｅを入力したときに記憶を終了したことを報知する（記憶処理が終了したことを報知する文字情報Ｉｃ３を表示部１３に表示させる）ことにより、記憶を終了したこと、つまり、測定作業の様子が撮像されたことを、作業者に確実かつ容易に認識させることができるため、実行している測定作業を終了して、次の測定対象についての測定作業を迅速に開始することができる。したがって、この測定システム１によれば、測定対象が数多く存在するときの作業効率を一層向上させることができる。
【００５９】
また、この測定システム１では、測定装置２が、指示信号Ｓｒの出力時に更新表示処理を停止して非更新状態で測定値を表示部１３に表示させる。したがって、この測定システム１によれば、測定値の更新が停止している状態（停止前の測定値が固定的に表示されている状態）で静止画Ｇｓを撮像することができるため、表示部１３に表示された測定値が明瞭に写し出された静止画Ｇｓを撮像することができる。
【００６０】
また、この測定システム１によれば、測定装置２が非更新状態において予め決められた条件が満たされたとき（終了信号Ｓｅを入力したとき）に更新表示処理を再開することにより、画像の記憶が終了した後に、被測定量の測定値が大きく変動したときには、変動後の測定値を確実に把握することができる。
【００６１】
なお、測定システムは、上記の構成に限定されない。例えば、画像データＤｇ、測定値データＤｒおよび測定条件データＤｃを別々に記憶部３２に記憶する構成例について上記したが、図７に示すように、測定値データＤｒによって特定される測定値を示す文字情報Ｉｃ１、測定条件データＤｃによって特定される測定条件を示す文字情報Ｉｃ２、および識別情報（例えば、撮像した順番を表す数値）を示す文字情報Ｉｃ４（または、これらの文字情報Ｉｃ１，Ｉｃ２，Ｉｃ４の１つまたは２つ）を静止画Ｇｓ内に表示した状態でデータ化した画像データＤｇを記録する構成を採用することもできる。
【００６２】
また、静止画Ｇｓを撮像して、その静止画Ｇｓの画像データＤｇを記憶する例について上記したが、動画を撮像して、その動画から抽出した静止画Ｇｓ、およびその動画（その動画の一部または全部）の少なくとも一方を記録する構成を採用することもできる。具体的には、次のような構成を採用することができる。１つ目の構成は、動画を撮像可能なデジタルビデオカメラで撮像記憶装置３の撮像部３１を構成し、その撮像部３１が、指示信号Ｓｒを入力したときに指示信号Ｓｒの入力時以後における動画を撮像する。また、撮像記憶装置３の記憶部３２が、撮像された動画から抽出した指示信号Ｓｒの入力時における静止画Ｇｓ、および撮像された動画のうちの指示信号Ｓｒの入力時以後における予め決められた時間（一例として、３０秒間）分の動画（撮像された動画の一部または全部）の少なくとも一方を記憶する。この構成においても、上記した測定システム１と同様の効果を実現することができる。また、この構成によれば、動画を記憶したときには、例えば、測定装置２によって被測定量が最初に測定された後の様子を、動画を閲覧することによって把握することができるため、例えば、被測定量が最初に測定された後に、測定値が変動しているときに、その変動の様子を確実に把握することができる。
【００６３】
次に、２つ目の構成は、測定装置２の処理部１５が、記録処理の開始前に（例えば、電源投入後直ちに）、動画の撮像開始を指示する開始信号を撮像記憶装置３に出力する。また、デジタルビデオカメラで構成された撮像記憶装置３の撮像部３１が、開始信号に従って動画の撮像を開始し、指示信号Ｓｒを入力してから予め決められた時間が経過するまで動画の撮像を継続する。つまり、撮像部３１は、指示信号Ｓｒの入力時の前後に亘る動画を撮像する。また、撮像記憶装置３の記憶部３２が、撮像された動画から抽出した指示信号Ｓｒの入力時における静止画Ｇｓ、および撮像された動画のうちの指示信号Ｓｒの入力時の前後に亘る予め決められた時間（一例として、１分間）分の動画（撮像された動画の一部または全部）の少なくとも一方を記憶する。この構成においても、上記した測定システム１と同様の効果を実現することができる。また、この構成によれば、指示信号Ｓｒの入力時の前後に亘る動画を記憶したときには、例えば、指示信号Ｓｒの入力時の前後における作業の様子（測定作業の手順等）を、動画を閲覧することによって把握することができるため、利便性を十分に高めることができる。
【００６４】
また、測定装置２（入出力部１４）と撮像記憶装置３（入出力部３３）とがデータや信号を無線で入出力（送受信）する構成例について上記したが、測定装置２と撮像記憶装置３とをケーブルで接続してデータや信号を有線で入出力する構成を採用することもできる。また、撮像記憶装置３（入出力部３３）と外部装置（パソコンや携帯端末）とをケーブルで接続して記憶部３２に記憶させた画像データＤｇを有線で出力（送信）する構成を採用することもできる。
【００６５】
また、撮像装置と記憶装置とを一体にした（撮像装置に記憶装置が取り付けた）撮像記憶装置３を採用した例について上記したが、撮像装置と記憶装置とを別体にした構成を採用することもできる。この場合、撮像装置と記憶装置とがデータや信号を無線で入出力する構成を採用することもできるし、有線で入出力する構成を採用することもできる。
【００６６】
また、記憶装置と測定装置２とを一体にした構成や、撮像装置、記憶装置および測定装置２の３つを互いに別体として、各装置間でデータや信号を無線または有線で入出力する構成を採用することもできる。この場合、これらの構成では、測定装置２から撮像装置に対して指示信号Ｓｒが出力されたときに、撮像装置が撮像した画像データＤｇを測定装置２を経由して（または測定装置２を経由することなく直接）記憶装置に出力（送信）し、測定装置２が記憶装置にも指示信号Ｓｒを出力して、これに応じて、記憶装置が画像データＤｇを記憶するように構成することで、上記した測定システム１と同様の効果を実現することができる。
【００６７】
また、測定装置２が測定値データＤｒおよび測定条件データＤｃを撮像記憶装置３に出力し、記憶部３２がこれらのデータを画像データＤｇと共に記憶する構成例について上記したが、測定値データＤｒおよび測定条件データＤｃの出力並びに記憶を省略して、画像データＤｇのみを記憶する構成を採用することもできる。
【００６８】
また、測定装置２が、終了信号Ｓｅを出力するときに更新表示処理を停止する例について上記したが、終了信号Ｓｅの出力後も更新表示処理を継続する構成を採用することもできる。また、測定装置２が、更新表示処理を実行しない構成を採用することもできる。
【００６９】
また、上記の例では、「被測定量を最初に測定したときから予め決められた時間が経過したとき」を「予め規定された規定条件が満たされたとき」として規定して、測定装置２が指示信号Ｓｒを出力しているが、他の条件を規定することもできる。例えば、「被測定量を最初に測定したとき」や、「被測定量の測定値が、測定対象の状態（例えば、絶縁状態）が良好であるときの基準を満たしたとき」を、「予め規定された規定条件が満たされたとき」として規定することもできる。また、「被測定量の測定値が安定したとき」、つまり「測定値の変動が予め決められた範囲内に収まったとき」を、「予め規定された規定条件が満たされたとき」として規定することもできる。
【００７０】
また、記憶処理を終了したことを報知する構成としては、上記した文字情報Ｉｃ１を表示部１３に表示させる構成に限定されず、音声を出力させたり、発光部を発光させたりする構成を採用することができる。
【００７１】
また、撮像記憶装置３を安全メガネ５０に取り付けて使用する例について上記したが、撮像記憶装置３を帽子やヘルメットに取り付けたり、作業者の頭部や肩にベルト等を用いて装着したりして使用することもできる。また、撮像記憶装置３を三脚や台に取り付けて使用することもできる。
【００７２】
また、各画像データＤｇ、測定値データＤｒおよび測定条件データＤｃを暗号化して記憶する例について上記したが、これらのデータの１つ以上を暗号化することなくそのままの状態で記憶する構成を採用することもできる。
【００７３】
また、被測定量として、抵抗値（絶縁抵抗値）を測定する測定システム１に適用した例について上記したが、抵抗値以外の各種の被測定量（例えば、電流値、電圧値、電力値、温度および照度等の物理量）を測定する測定システムに適用することができる。
【符号の説明】
【００７４】
１  測定システム
２  測定装置
３  撮像記憶装置
１３  表示部
３１  撮像部
３２  記憶部
６０  分電盤
Ｄｃ  測定条件データ
Ｄｇ  画像データ
Ｄｒ  測定値データ
Ｇｓ  静止画
Ｉｃ１，〜Ｉｃ３  文字情報
Ｓｅ  終了信号
Ｓｒ  指示信号
【図１】
0006400377.tif 000002
【図２】
0006400377.tif 000003
【図３】
0006400377.tif 000004
【図４】
0006400377.tif 000005
【図５】
0006400377.tif 000006
【図６】
0006400377.tif 000007
【図７】
0006400377.tif 000008